(57)【特許請求の範囲】
【請求項１】
固定輪、回転輪、前記固定輪と前記回転輪との間に配置された複数の転動体、および、前記複数の転動体を保持する保持器を有する転がり軸受と、
前記固定輪に対して軸方向に隣接して配置され、内部に潤滑剤を貯留するための貯留室を有する潤滑剤貯留部材と、
前記潤滑剤貯留部材に設けられ、前記固定輪及び前記回転輪の間に挿入されるとともに、前記保持器の回転を案内する案内面を有する案内部材と、
少なくとも一部が前記貯留室に配置され、自身に浸透させた前記貯留室内の潤滑剤を前記案内面とこの案内面に対向する前記保持器の被案内面との間に供給する浸透部材と、を備え、
前記潤滑剤貯留部材には、前記貯留室の内部と、前記固定輪と前記回転輪との間の環状空間とを連通させ、かつ気体が通過可能な連通孔が形成され、
前記連通孔の前記貯留室側の開口は、前記貯留室における前記浸透部材が収容されている領域と前記浸透部材が収容されていない領域とに跨って形成されている、転がり軸受装置。
【請求項２】
前記案内部材は、前記案内面と面一の状態で前記案内面に隣接して形成された供給面を備え、この供給面の少なくとも一部に前記浸透部材が接触している、請求項１に記載の転がり軸受装置。
【請求項３】
前記供給面における少なくとも前記浸透部材が接触する部分と前記案内面とに、潤滑剤の通路となる溝部が形成されている、請求項２に記載の転がり軸受装置。
【請求項４】
前記溝部が、軸方向に沿って形成されている、請求項３に記載の転がり軸受装置。
【請求項５】
前記溝部が、軸方向に対して傾斜して形成されている、請求項３に記載の転がり軸受装置。
【請求項６】
前記供給面及び前記案内面には、増ちょう剤を含む潤滑剤が塗布されている、請求項２〜５のいずれか１項に記載の転がり軸受装置。
【請求項７】
前記案内部材が、前記貯留室を形成する壁として構成されている、請求項１〜６のいずれか１項に記載の転がり軸受装置。
【請求項８】
前記潤滑剤貯留部材は、円筒状の外周壁と、前記外周壁の径方向内側に前記外周壁とは間隔をあけて配置された円筒状の内周壁と、前記外周壁と前記内周壁との間に配置された環状の第１側壁と、前記第１側壁よりも前記転がり軸受側に配置された環状の第２側壁とを有し、前記貯留室が、前記外周壁、前記内周壁、前記第１側壁、及び前記第２側壁によって囲まれた空間により形成され、
前記外周壁又は前記内周壁が、前記固定輪と前記回転輪との間に挿入されて前記案内部材を構成している、請求項７に記載の転がり軸受装置。
【請求項９】
２つの前記転がり軸受が、軸方向に間隔をあけて設けられ、
２つの前記転がり軸受の間に１つの前記潤滑剤貯留部材が設けられ、
前記潤滑剤貯留部材には、前記各転がり軸受に対応する２つの前記貯留室と、前記各転がり軸受の前記保持器を案内する２つの前記案内部材とが設けられている、請求項１〜８のいずれか１項に記載の転がり軸受装置。
【請求項１０】
前記潤滑剤貯留部材が、前記固定輪の軸方向の位置を設定する間座により構成されている、請求項１〜９のいずれか１項に記載の転がり軸受装置。
【請求項１１】
前記案内部材が、前記保持器の内周面を案内するものであり、前記保持器は、軸方向一端部の内周面に、前記案内面によって案内される被案内面を有しており、
前記被案内面の軸方向両側には、前記被案内面から軸方向へ離れるに従い漸次内径が増大する傾斜面が形成され、前記転がり軸受の内部側の傾斜面が、前記転がり軸受の外部側の傾斜面よりも大きい傾斜角度で形成されている、請求項１〜１０のいずれか１項に記載の転がり軸受装置。
【発明の詳細な説明】
【技術分野】
【０００１】
本発明は、転がり軸受装置に関する。
【背景技術】
【０００２】
例えば、人工衛星の姿勢制御用フライホイールやジャイロスコープ、又は太陽電池パドル駆動機構やアンテナ駆動機構（低速アプリケーション）等に使用される転がり軸受は、トルクを低く抑えたりトルクの変動を小さく抑えたりする必要があるため、潤滑剤の使用量を最小限に留めることが要求される。そのような要求に応えるため、従来、転がり軸受の保持器に潤滑剤を含浸させることによって微量ずつ潤滑剤を供給する技術が提案されている（例えば、特許文献１参照）。
【先行技術文献】
【特許文献】
【０００３】
【特許文献１】特開２００６−３４９１３６号公報
【発明の概要】
【発明が解決しようとする課題】
【０００４】
しかしながら、特許文献１に記載された技術では、保持器に含浸させることができる潤滑剤の量は僅かであるため、転がり軸受の潤滑寿命が制限されるという欠点がある。
本発明は、転がり軸受の潤滑寿命を向上させることができる転がり軸受装置を提供することを目的とする。
【課題を解決するための手段】
【０００５】
本発明の転がり軸受装置は、固定輪、回転輪、前記固定輪と前記回転輪との間に配置された複数の転動体、および、前記複数の転動体を保持する保持器を有する転がり軸受と、前記固定輪に対して軸方向に隣接して配置され、内部に潤滑剤を貯留するための貯留室を有する潤滑剤貯留部材と、前記潤滑剤貯留部材に設けられ、前記固定輪及び前記回転輪の間に挿入されるとともに、前記保持器の回転を案内する案内面を有する案内部材と、少なくとも一部が前記貯留室に配置され、自身に浸透させた前記貯留室内の潤滑剤を前記案内面とこれに対向する前記保持器の被案内面との間に供給する浸透部材と、を備え、前記潤滑剤貯留部材には、前記貯留室の内部と、前記固定輪と前記回転輪との間の環状空間とを連通させ、かつ気体が通過可能な連通孔が形成され、前記連通孔の前記貯留室側の開口は、前記貯留室における前記浸透部材が収容されている領域と前記浸透部材が収容されていない領域とに跨って形成されている。
【０００６】
上記構成の転がり軸受装置によれば、貯留室に充填された潤滑剤を浸透部材に浸透させ、この浸透部材から案内部材の案内面と保持器の被案内面との間に潤滑剤を微量ずつ供給することができる。また、転がり軸受装置は、潤滑剤貯留部材の貯留室に潤滑剤を貯留することができるので、従来のように保持器に潤滑剤を含浸させる場合に比べて、多くの潤滑剤を保有することができ、転がり軸受の潤滑寿命を向上させることができる。
【０００７】
前記案内部材は、前記案内面と面一の状態で前記案内面に隣接して形成された供給面を備え、この供給面の少なくとも一部に前記浸透部材が接触していることが好ましい。
このような構成によって、浸透部材に浸透された潤滑剤を案内部材の供給面から案内面へ向けてスムーズに供給することができる。
【０００８】
前記供給面における前記浸透部材が接触する部分と前記案内面とに、潤滑剤の通路となる溝部が形成されていることが好ましい。
このような構成によって、浸透部材に浸透された潤滑剤を、溝部を介して案内面と被案内面との間に好適に供給することができる。また、案内面と被案内面との間に供給された潤滑剤が消費されても、浸透部材に浸透された潤滑剤が表面張力によって溝部内に補給されるため長期間にわたり継続して潤滑を行うことができる。
【０００９】
前記溝部は、軸方向に沿って形成することができる。
このような構成によって、浸透部材から溝部を介して案内面と被案内面との間へ最短距離で潤滑剤を供給することができる。
【００１０】
また、前記溝部は、軸方向に対して傾斜して形成されていてもよい。
このような構成によって、保持器の被案内面が案内面上を摺動するときの溝部による抵抗を少なくし、案内面上で被案内面をスムーズに摺動させることができる。また、溝部の長さを可及的に長くすることができ、溝部内により多くの潤滑剤を保持することができる。
【００１１】
前記供給面及び前記案内面には、増ちょう剤を含む潤滑剤が供給されていてもよい。
このような構成によって、供給面及び案内面上の潤滑剤が転がり軸受に供給されて減少すると、浸透部材に浸透された潤滑剤が増ちょう剤に吸引されることにより供給面を介して案内面と被案内面との間に供給される。したがって、転がり軸受装置の使用開始当初から円滑な潤滑を行うことができる。
【００１２】
前記案内部材は、前記貯留室を形成する壁を構成していることが好ましい。
このような構成によって、案内部材を活用して貯留室を形成することができる。
【００１３】
上記構成において、前記潤滑剤貯留部材は、円筒状の外周壁と、前記外周壁の径方向内側に前記外周壁と間隔をあけて配置された円筒状の内周壁と、前記外周壁と前記内周壁との間に配置された環状の第１側壁と、前記第１側壁よりも前記転がり軸受側に配置された環状の第２側壁とを有し、前記貯留室が、前記外周壁、前記内周壁、前記第１側壁、及び前記第２側壁によって囲まれた空間により形成され、
前記外周壁又は前記内周壁が、前記固定輪と前記回転輪との間に挿入されて前記案内部材を構成していることが好ましい。
【００１４】
前記潤滑剤貯留部材には、前記貯留室の内部と、前記固定輪と前記回転輪との間の環状空間とを連通させ、かつ気体が通過可能な連通孔が形成されていることが好ましい。
例えば転がり軸受装置が人工衛星に適用される場合、打ち上げまでの間に部品の評価やメンテナンス等の作業が行われるが、これらの作業には、転がり軸受の内部を真空引きする工程が含まれることがある。しかし、この工程において、貯留室の内部に含まれる空気が案内部材の案内面と保持器の被案内面との間への潤滑剤の供給経路を介して貯留室の外部へ排出されると、潤滑剤浸透部材に浸透された潤滑剤までも外部へ流出させてしまい、貯留室内の潤滑剤が減少してしまう可能性がある。したがって、上記構成のように、前記潤滑剤貯留部材に連通孔を形成することによって、転がり軸受の内部が真空引きされたときに貯留室内の空気を連通孔を介して排出することができ、浸透部材に浸透した潤滑剤が空気とともに流出してしまうのを好適に抑制することができる。
【００１５】
前記潤滑剤貯留部材の前記第２側壁には、前記貯留室の内部と、前記固定輪と前記回転輪との間の環状空間とを連通させ、かつ気体が通過可能な連通孔が形成されていることが好ましい。
このような構成によって、上記のように転がり軸受内を真空引きするときに、環状空間により近い位置から空気を排出することができる。
【００１６】
前記連通孔は、前記貯留室の内部のうち少なくとも前記浸透部材が収容されていない領域と、前記環状空間との間を連通することが好ましい。
このような構成によって、浸透部材が収容されていない領域に含まれる空気を連通孔を介して好適に貯留室から排出することができる。
【００１７】
前記連通孔は、前記貯留室の内部のうち少なくとも前記浸透部材が収容されている領域と、前記環状空間との間を連通することが好ましい。
このような構成によって、浸透部材に含まれる空気を連通孔を介して好適に貯留室から排出することができる。
【００１８】
２つの前記転がり軸受が、軸方向に間隔をあけて設けられ、２つの前記転がり軸受の間に１つの前記潤滑剤貯留部材が設けられ、前記潤滑剤貯留部材には、前記各転がり軸受に対応する２つの貯留室と、前記各転がり軸受の前記保持器を案内する２つの案内部材とが設けられていてもよい。
このような構成によって、２つの転がり軸受の双方を１つの潤滑剤貯留部材を用いて好適に潤滑することができる。
【００１９】
前記潤滑剤貯留部材が、前記固定輪の軸方向の位置を設定する間座により構成されていることが好ましい。
このような構成によって、間座を潤滑剤貯留部材としても活用できる。
【００２０】
前記案内部材が、前記保持器の内周面を案内するものであり、前記保持器は、軸方向一端部の内周面に、前記案内面によって案内される被案内面を有しており、前記被案内面の軸方向両側には、前記被案内面から軸方向へ離れるに従い漸次内径が増大する傾斜面が形成され、前記転がり軸受の内部側の傾斜面が、前記転がり軸受の外部側の傾斜面よりも大きい傾斜角度で形成されていることが好ましい。
【００２１】
このような構成によれば、転がり軸受の外部側の傾斜面により案内面と被案内面との間に潤滑剤を供給し易くすることができ、転がり軸受の内部側の傾斜面により案内面と被案内面との間の潤滑剤を転がり軸受の内部に排出し易くすることができる。特に、転がり軸受の内部側の傾斜面が、転がり軸受の外部側の傾斜面よりも大きい傾斜角度で形成されているので、保持器の回転による遠心力で、案内面と被案内面との間の潤滑油を積極的に転がり軸受の内部に排出することができる。
【発明の効果】
【００２２】
本発明の転がり軸受装置によれば、転がり軸受の潤滑寿命を向上させることができる。
【図面の簡単な説明】
【００２３】
【図１】第１の実施形態に係る転がり軸受装置を示す断面図である。
【図２】転がり軸受と潤滑剤貯留部材とを拡大して示す断面図である。
【図３】保持器と案内部材とを拡大して示す断面図である。
【図４】第２の実施形態に係る転がり軸受装置を示す断面図である。
【図５】第３の実施形態に係る転がり軸受装置の一部を示す断面図である。
【図６】第４の実施形態に係る転がり軸受装置の断面図である。
【図７】第５の実施形態に係る転がり軸受装置の断面図である。
【図８】外輪間座を示す斜視図である。
【図９】外輪間座の一部を拡大して示す断面図である。
【図１０】第６の実施形態に係る転がり軸受装置の外輪間座を示す斜視図である。
【図１１】第７の実施形態に係る転がり軸受装置の外輪間座を示す斜視図である。
【図１２】第８の実施形態に係る転がり軸受装置の外輪間座の一部を拡大して示す断面図である。
【図１３】第９の実施形態に係る転がり軸受装置の外輪間座の一部を拡大して示す断面図である。
【発明を実施するための形態】
【００２４】
以下、添付図面を参照しつつ、本発明の転がり軸受装置の実施形態を詳細に説明する。
［第１の実施形態］
［転がり軸受の全体構成］
図１は、第１の実施形態に係る転がり軸受装置を示す断面図である。図２は、転がり軸受と潤滑剤貯留部材とを拡大して示す断面図である。図３は、保持器と案内部材とを拡大して示す断面図である。
転がり軸受装置１０は、軸方向に間隔をあけて配置された２個（複列）の転がり軸受１１と、２個の転がり軸受１１の間に設けられた間座１２，１３とを備えている。この転がり軸受装置１０は、宇宙で使用される機器、例えば人工衛星において、姿勢制御用のフライホールやジャイロスコープ等で用いられる軸を回転自在に支持するために用いられる。
【００２５】
転がり軸受１１は、外輪２１と、内輪２２と、複数の転動体２３と、保持器２４とを備えている。外輪２１及び内輪２２は、円環状に形成されている。内輪２２は、外輪２１の径方向内側に同心状に配置されている。外輪２１の内周面には、外輪軌道面２１ａが形成されている。内輪２２の外周面には、内輪軌道面２２ａが形成されている。外輪軌道面２１ａと内輪軌道面２２ａとは径方向に対向して配置されている。
【００２６】
転動体２３は、玉により構成されている。複数の転動体２３は、外輪軌道面２１ａと内輪軌道面２２ａとの間に転動可能に配置されている。複数の転動体２３は、周方向に間隔をあけて配置され、保持器２４によってその間隔が保持されている。
本実施形態の転がり軸受１１は、内輪軌道面２２ａが転動体２３に対して斜めに接し、軸方向に予圧を付与して使用されるアンギュラ玉軸受とされている。また、内輪２２は、その内周面が回転運動する軸Ｓに嵌合されることによって、軸Ｓに固定されている。外輪２１は、その外周面が転がり軸受装置１０が適用される機器のハウジングＨに嵌合されることによって、ハウジングＨに固定されている。したがって、外輪２１は固定輪を構成し、内輪２２は回転輪を構成している。２個のアンギュラ玉軸受１１は、背面合わせの関係で配置されている。
【００２７】
転がり軸受１１の外輪２１、内輪２２、及び転動体２３は、いずれも金属製とすることができる。例えば、外輪２１、内輪２２、及び転動体２３は、ＳＵＳ４４０Ｃ等のステンレスにより形成することができる。転動体２３は、金属製以外であってもよい。例えば、転動体２３は、窒化ケイ素等のセラミックス製とすることができる。
【００２８】
保持器２４は、円環状に形成され、径方向に貫通するポケット２４ａが周方向に間隔をあけて複数形成されている。各ポケット２４ａには、転動体２３が収容されている。保持器２４の軸方向一端部の内周面は、後述する案内面３２ｂによって案内される被案内面２４ｂとされている。
保持器２４は、合成樹脂製とすることができる。例えば、保持器２４は、フェノール樹脂により形成することができる。フェノール樹脂は、内部に潤滑剤を取り込むことが可能である。
【００２９】
間座１２，１３は、外輪間座１２と内輪間座１３とからなる。
外輪間座１２は、２個の転がり軸受１１の外輪２１の間に配置されている。２個の外輪２１は、外輪間座１２によって、互いに軸方向に接近する方向へ移動が規制されている。言い換えると、２個の外輪２１は、外輪間座１２によって軸方向の位置が設定され、互いの間隔が保持されている。また、外輪間座１２は、転がり軸受１１に軸方向の予圧を付与するために用いられる。
外輪間座１２は、外輪２１と同様にその外周面がハウジングＨに嵌合されることによって、ハウジングＨに固定されている。外輪間座１２は、後述するように潤滑剤貯留部材と案内部材とを構成する。
【００３０】
内輪間座１３は、２個の転がり軸受１１の内輪２２の間に配置されている。２個の内輪２２は、内輪間座１３によって互いに軸方向に接近する方向への移動が規制されている。したがって、２個の内輪２２は、内輪間座１３によって間隔が保持される。内輪間座１３は、円筒形状に形成されている。内輪間座１３は、内輪２２と同様に、回転軸Ｓの外周面に嵌合されることによって回転軸Ｓに固定されている。
【００３１】
［外輪間座１２の具体的構成］
図１に示すように、外輪間座１２は、外周壁３１と、内周壁３２と、第１側壁３３と、第２側壁３４とを有している。また、外輪間座１２は、潤滑剤を貯留するための貯留室３５を有している。
外周壁３１は、断面形状が平板状とされた円筒形状に形成されている。外周壁３１の外径は、外輪２１の外径とほぼ同一である。外周壁３１の外周面は、ハウジングＨに嵌合されている。外周壁３１の軸方向寸法は、２個の転がり軸受１１の外輪２１の間隔よりも小さく形成されている。
【００３２】
内周壁３２は、断面形状が平板状とされた円筒形状に形成されている。内周壁３２は、外周壁３１の径方向内側に間隔をあけて配置されている。また、内周壁３２は、内輪間座１３の径方向外側に間隔をあけて配置されている。内周壁３２の軸方向寸法は、２個の転がり軸受１１の外輪２１の間隔よりも大きい。したがって、内周壁３２の軸方向寸法は、外周壁３１の軸方向寸法よりも大きくなっている。内周壁３２の軸方向両端部３２ａは、外周壁３１よりも軸方向外側に突出している。
【００３３】
図２に示すように、内周壁３２の軸方向両端部３２ａは、転がり軸受１１の外輪２１と内輪２２との間の環状空間に挿入されている。内周壁３２の軸方向両端部３２ａは、保持器２４の内周側に配置されている。そして、内周壁３２の軸方向両端部３２ａにおける外周面は、保持器２４の内周面（被案内面）２４ｂに接触し、保持器２４の回転を案内する案内面３２ｂを構成している。したがって、外輪間座１２の内周壁３２は、保持器２４を案内する案内部材を構成している。
【００３４】
図２及び図３に示すように、内周壁３２の外周面には、周方向に沿って延びる凹溝３２ｃが形成されている。この凹溝３２ｃは、外周壁３１と第２側壁３４とが接触する位置の径方向内側に位置している。本実施形態では、凹溝３２ｃと案内面３２ｂとの間の内周壁３２の外周面が、案内面３２ｂへ潤滑剤を導いて供給するための供給面３２ｄとされている。この供給面３２ｄは、案内面３２ｂと面一に形成されている。もっとも、案内面３２ｂを除く内周壁３２の外周面全体が、案内面３２ｂへ潤滑剤を導いて供給するための供給面３２ｄとされていてもよい。供給面３２ｄの具体的な作用については後述する。
【００３５】
なお、内周壁３２の外周面は、旋盤等による切削加工で形成されるが、凹溝３２ｃよりも転がり軸受１１側の供給面３２ｄ及び案内面３２ｂは、さらに、研削加工によって表面が仕上げられる。研削加工が施される領域（研削領域）は、外周壁３１よりも軸方向外側に突出しているので、内周壁３２の径方向外側から供給面３２ｄ及び案内面３２ｂを研削することができ、研削作業性を向上させることができる。
【００３６】
図１に示すように、第１側壁３３は、円環状に形成されている。第１側壁３３の断面形状は、径方向寸法よりも軸方向寸法の方が小さい略長方形状に形成されている。第１側壁３３は、外周壁３１の内周面の軸方向中央部と、内周壁３２の外周面の軸方向中央部とを接続している。外周壁３１と内周壁３２と第１側壁３３とは１つの部材で一体に成形され、全体として「工」形状を呈している。
【００３７】
第２側壁３４は、円環状に形成され、外周壁３１と転がり軸受１１の外輪２１との間に配置されている。また、第２側壁３４は、内周壁３２の軸方向両端部３２ａの径方向外側に配置されている。第２側壁３４の断面形状は、径方向寸法よりも軸方向寸法の方が小さい、略長方形状に形成されている。第２側壁３４の外径は、外周壁３１の外径とほぼ同一である。第２側壁３４の外周面は、ハウジングＨに嵌合されている。
【００３８】
第２側壁３４の断面における径方向寸法（厚さ）は、外周壁３１の断面における径方向寸法（厚さ）よりも大きい。そのため、第２側壁３４は、外周壁３１の内周面よりも径方向内方へ突出している。
また、第２側壁３４の内径は、内周壁３２の外径よりも大きい。そのため、第２側壁３４の内周面と内周壁３２の外周面とは間隔をあけて配置されている。
【００３９】
外輪間座１２の内部には、潤滑剤を貯留するための貯留室３５が形成されている。具体的に、外周壁３１と内周壁３２と第１側壁３３と第２側壁３４とによって囲まれる空間が貯留室３５とされている。したがって、外輪間座１２は、本発明の潤滑剤貯留部材を構成している。本実施形態の外輪間座１２には、２個の転がり軸受１１に対応して２個の貯留室３５が形成されている。第２側壁３４の内周面と内周壁３２の外周面との間に形成された間隔は、貯留室３５を転がり軸受１１側に開放する開口部３６とされている。したがって、貯留室３５は、内周側の領域が転がり軸受１１側に開放している。
【００４０】
貯留室３５の内部には、潤滑剤を浸透させる浸透部材４０が設けられている。浸透部材４０は、多数の連続気孔を有する多孔質体により構成されている。例えば、浸透部材４０は、焼結ポリエチレン等の樹脂焼結体により形成することができる。
図２に示すように、浸透部材４０は、第１部分４１と第２部分４２とを有している。第１部分４１は、貯留室３５内に配置されている。第２部分４２は、開口部３６内に配置されている。第１部分４１及び第２部分４２は、いずれも円環状に形成されている。第１部分４１及び第２部分４２は、それぞれ断面長方形状に形成されている。
【００４１】
第１部分４１と第２部分４２とは、同一の内径を有している。第１部分４１の内径及び第２部分４２の内径は、内周壁３２の外径とほぼ同一である。第１部分４１と第２部分４２は、内周壁３２の外周面に嵌合されている。
第１部分４１の外径は、第２部分４２の外径よりも大きい。第１部分４１の軸方向寸法は、貯留室３５の軸方向寸法とほぼ同一である。第１部分４１の断面における径方向寸法は、貯留室３５の断面における径方向寸法よりも小さい。第１部分４１は、貯留室３５の容積の半分以上を占める範囲で設けられている。貯留室３５は、内周側の領域が第１部分４１で埋め尽くされ、外周側の領域が空間とされ、この空間内に潤滑剤が充填される。
【００４２】
第２部分４２の断面における径方向寸法は、開口部３６の径方向寸法（内周壁３２と第２側壁３４との間隔）とほぼ同一である。したがって、第２部分４２は、開口部３６の全体を塞ぐように設けられる。また、第２部分４２は、外輪間座１２の第２側壁３４の内周面によって径方向外側から押さえられている。そのため、浸透部材４０の第２部分４２の内周面は、内周壁３２の外周面、特に供給面３２ｄに圧接されている。
【００４３】
外輪間座１２の貯留室３５の内部には、グリース又は潤滑油等の潤滑剤が充填される。浸透部材４０は、連続気孔を有する多孔質体であるので、貯留室３５内の潤滑剤は、浸透部材４０に浸透する。潤滑剤がグリースの場合には、グリースに含まれる基油が浸透部材４０に浸透する。図３に示すように、浸透部材４０の第１部分４１を経て第２部分４２に浸透した潤滑剤は、内周壁３２の供給面３２ｄを伝って開口部３６から流出し、内周壁３２に形成された案内面３２ｂと、保持器２４に形成された被案内面２４ｂとの間に供給され、案内面３２ｂ及び被案内面２４ｂを潤滑する。また、案内面３２ｂ及び被案内面２４ｂの間に供給された潤滑剤は、転がり軸受１１の内部に侵入し、転動体２３、内輪軌道面２２ａ、及び外輪軌道面２１ａを潤滑する。
【００４４】
以上のように、外輪間座（潤滑剤貯留部材）１２には貯留室３５が形成されているので、転がり軸受装置１０により多くの潤滑剤を保持させることが可能となり、また、貯留室３５に配設した浸透部材４０によって微量ずつ潤滑剤を排出し、転がり軸受１１に供給することができる。そのため、長期にわたって転がり軸受１１を潤滑することができ、転がり軸受１１の潤滑寿命を向上させることができる。
【００４５】
特に、人工衛星の打ち上げ時等のように大きな加速度がかかる状況では、貯留室３５の内部に潤滑剤としてグリースのみが貯留されていると、グリースに位置ずれが生じて貯留室３５からグリースが飛び出してしまう可能性がある。また、衝撃によってグリースに割れが生じると基油の移動経路が分断されてしまい、貯留室３５内にグリースが存在するにも関わらず、基油の供給が途絶えてしまう可能性がある。この点、本実施形態の転がり軸受装置１０においては、貯留室３５の内部に浸透部材４０が設けられており、しかも浸透部材４０は、貯留室３５の開口部３６側に配置され、貯留室３５の内部側（奥側）にグリースが貯留されているので、浸透部材４０が蓋としての役割を果たし、大きな加速度がかかる状況であっても、グリースの位置ずれを抑制することができる。また、貯留室３５の内部は、グリースと浸透部材４０とによって満たされるので、グリースに割れが生じても浸透部材４０に浸透している基油を潤滑に用いることができる。また、グリースと浸透部材４０とは接しているので、部分的な割れが生じたとしても各々が接触している面を介して基油が浸透部材４０に移動するため、基油の供給が途切れてしまうのを抑えることができる。さらに、浸透部材４０は、グリースと比べて空隙の寸法が大きいため、案内面３２ｂへグリースの基油を容易に供給することができる。以上より、転がり軸受の潤滑寿命を高めることができる。
【００４６】
また、浸透部材４０の第２部分４２は、案内面３２ｂと面一に形成された内周壁３２の供給面３２ｄに直接接触しているので、浸透部材４０に浸透された基油を供給面３２ｄを介して案内面３２ｂへとスムーズに供給することができる。
なお、転がり軸受装置１０の使用開始時には、図３に示すように、供給面３２ｄ及び案内面３２ｂに予め増ちょう剤を含むグリースが塗布される。そして、塗布されたグリースの基油が転がり軸受１１の内部側へ排出されることによって減少すると、浸透部材４０の第２部分４２に浸透した基油が、供給面３２ｄ上の増ちょう剤に毛細管現象によって吸引され、案内面３２ｂと被案内面２４ｂとの間に供給される。このような作用によって、転がり軸受装置１０の使用開始時点から継続した潤滑を行うことができる。なお、グリースは、案内面３２ｂ及び供給面３２ｄだけでなく内周壁３２の外周面全体に塗布してもよい。
【００４７】
保持器２４の被案内面２４ｂの軸方向両側には、被案内面２４ｂから離れるほど内径が増大する傾斜面２４ｄ，２４ｅが形成されている。転がり軸受１１の外部側（外輪間座１２側）の傾斜面２４ｄは、浸透部材４０から供給面３２ｄを伝う基油を、案内面３２ｂと被案内面２４ｂとの間に入り込みやすくすることができる。転がり軸受１１の内部側（ポケット２４ａ側）の傾斜面２４ｅは、転がり軸受１１の外部側の傾斜面２４ｄよりも、傾斜角度が大きくなっている。そのため、案内面３２ｂと被案内面２４ｂとの間から転がり軸受１１の内部側に入り込んだ基油を保持器２４の回転による遠心力で径方向外方へ積極的に導くことができる。そのため、転動体２３に対して好適に基油を供給することができ、転動体２３と外輪軌道面２１ａ及び内輪軌道面２２ａとの間の潤滑を促進することができる。被案内面２４ｂに対する傾斜面２４ｄの傾斜角度は、例えば、４５°未満とすることができ、被案内面２４ｂに対する傾斜面２４ｅの傾斜角度は、例えば、４５°以上（９０°未満）とすることができる。
【００４８】
図３に示すように、内周壁３２の外周面において、凹溝３２ｃよりも転がり軸受１１側の研削領域は、切削領域に比べて外径が僅かに小さくなり、両者の間にはわずかな段差ｈ（０．２ｍｍ程度）が生じることがある。浸透部材４０は、切削領域と研削領域とに跨って配置されるが、第２側壁３４によって径方向外側から押さえられることによる変形（弾性変形又は塑性変形）で段差ｈを吸収し、浸透部材４０の内周面の略全体が、内周壁３２の外周面に接触するようになっている。そのため、浸透部材４０に浸透した基油を内周壁３２の外周面（供給面３２ｄ）を介して案内面３２ｂと被案内面２４ｂとの間に好適に供給することができる。
【００４９】
図１及び図２に示すように、転がり軸受１１を構成する外輪２１及び内輪２２と、転動体２３とがいずれも同一の金属により形成されている場合、外輪間座１２もこれらと同一の金属により形成することができる。しかし、転動体２３が、外輪２１及び内輪２２とは線膨張係数が異なる材質である場合、外輪間座１２も、外輪２１及び内輪２２とは異なる材質の金属により形成することが好ましい。具体的には、外輪２１及び内輪２２が金属製であり、転動体２３がセラミックス製である場合には、外輪２１及び内輪２２よりも転動体２３の方が線膨張係数が小さくなる。そのため、温度上昇による転動体２３の膨張量が外輪２１及び内輪２２の膨張量よりも小さくなり、転がり軸受１１に付与される予圧が小さくなるおそれがある。このような場合、外輪間座１２の材料として、外輪２１及び内輪２２よりも線膨張係数の大きな金属を用いることによって、温度上昇による外輪間座１２の膨張量を外輪２１及び内輪２２の膨張量よりも大きくすることができ、転がり軸受１１に付与される予圧の低下を抑制することができる。例えば、外輪２１及び内輪２２が、ＳＵＳ４４０Ｃで形成され、転動体２３がセラミックス製である場合、外輪間座１２は、ＳＵＳ３０４により形成することができる。
【００５０】
［第２の実施形態］
図４は、第２の実施形態に係る転がり軸受装置を示す断面図である。
本実施形態は、２個のアンギュラ玉軸受１１が、正面合わせの関係で配置されている。そして、外輪間座１２の内周壁（案内部材）３２を、外輪２１と内輪２２との間の環状空間に挿入させるため、内輪２２の外周面には、凹部２２ｂが形成されている。この凹部２２ｂは、軸方向の外側（外輪間座１２側）ほど外径が小さくなる傾斜面を有している。内周壁３２の軸方向端部の内周側には、凹部２２ｂの傾斜面に対向する傾斜面が形成されている。
その他の構成は、第１の実施形態と同様であり、本実施形態においても第１の実施形態と同様の作用効果を奏するため、詳細な説明は省略する。
【００５１】
［第３の実施形態］
図５は、第３の実施形態に係る転がり軸受装置の一部を示す断面図である。
本実施形態の転がり軸受装置１０は、保持器２４の軸方向一端部の外周面に被案内面２４ｃが形成されている。また、外輪間座１２のうち、第２側壁３４が案内部材として構成されている。具体的に、第２側壁３４には、転がり軸受１１側に突出する案内部３４ａが形成され、この案内部３４ａが、外輪２１と内輪２２との間の環状空間に挿入されている。そして、案内部３４ａの内周面が、被案内面２４ｃに対向して保持器２４の回転を案内する案内面３４ｃとされている。また、第２側壁３４の内周面３４ｄのうち案内面３４ｃを除く部分は、浸透部材４０の第２部分４２が直接的に接触し、案内面３４ｃと被案内面２４ｃとの間へ潤滑油を供給するための供給面とされている。外輪２１の内周面には、第２側壁３４の案内部３４ａを挿入させるための凹部２１ｂが形成されている。第２側壁３４の内周面３４ｄは、全体が研削加工によって仕上げられる。一方、第１の実施形態において案内部材を構成していた内周壁３２は、本実施形態では外周面の研削加工が不要となり、外周面全体を切削加工のみにより形成することができる。そのため、図３に示すような研削領域と切削領域との境界を設定する凹溝３２ｃも不要となる。
【００５２】
本実施形態においても、貯留室３５に貯留された潤滑剤が浸透部材４０に浸透し、浸透部材４０から供給面を伝って第２側壁３４の案内面３４ｃと保持器２４の被案内面２４ｃとの間に潤滑剤が供給され、案内面３４ｃと被案内面２４ｃとの間を潤滑するとともに、転動体２３、外輪軌道面２１ａ、内輪軌道面２２ａを潤滑することができる。
【００５３】
［第４の実施形態］
図６は、第４の実施形態に係る転がり軸受装置を示す断面図である。
上記各実施形態の転がり軸受装置１０は、転がり軸受１１が複列に設けられ、潤滑剤貯留部材を構成する外輪間座１２が、複列の転がり軸受１１に対応して２個の貯留室３５を備えていたが、第４の実施形態の転がり軸受装置１０は、１つの転がり軸受１１に対応する１つの貯留室３５が外輪間座１２に形成されたものとなっている。
本実施形態においても、貯留室３５に貯留された潤滑剤が浸透部材４０に浸透し、浸透部材４０から供給面３２ｄを伝って案内面３２ｂと保持器２４の被案内面２４ｂとの間に潤滑剤が供給される。その他の構成及び作用効果は上記第１の実施形態と同様であるため、詳細な説明は省略する。
【００５４】
［第５の実施形態］
図７は、第５の実施形態に係る転がり軸受装置を示す断面図である。
本実施形態では、外輪間座１２における内周壁３２の外周面に溝部５０が形成されている。この溝部５０には、浸透部材４０に浸透された潤滑剤が流入し、保持される。また、外輪間座１２における第２側壁３４には、貯留室３５の内部と、転がり軸受１１における外輪２１と内輪２２との間の環状空間とを連通し、気体を通過させることができる連通孔５５が形成されている。
【００５５】
図８は、外輪間座を示す斜視図である。溝部５０は、内周壁３２の外周面の軸方向の幅全体にわたる範囲で軸方向に沿って（軸方向と平行に）延びている。したがって、溝部５０は、供給面３２ｄにおける浸透部材４０が接触する部分と、案内面３２ｂとにわたる範囲で形成される。溝部５０は、内周壁３２の外周面に形成された凹溝３２ｃに交差している。また、溝部５０は、周方向に間隔をあけて複数形成されている。したがって、複数の溝部５０は、凹溝３２ｃによって互いに連通されている。溝部５０の深さは、凹溝３２ｃの深さと同じか、あるいは凹溝３２ｃの深さよりも深く又は浅く形成されている。
【００５６】
本実施形態において、浸透部材４０に浸透された潤滑剤（例えば、グリースの基油）は、溝部５０内に流入し、保持される。溝部５０は、案内面３２ｂにまで延びているので、浸透部材４０から案内面３２ｂまでの潤滑剤の通路となり、溝部５０内の潤滑剤が案内面３２ｂと被案内面２４ｂとの間に供給される。また、案内面３２ｂと被案内面２４ｂとの間から転がり軸受１１内に潤滑剤が供給されることによって溝部５０内の潤滑剤が消費されると、溝部５０内には、浸透部材４０に浸透した潤滑剤が表面張力によって常に補給される。したがって、溝部５０を介して案内面３２ｂと被案内面２４ｂとの間に長期間に渡って継続的に潤滑剤を供給することができる。また、複数の溝部５０は、凹溝３２ｃによって互いに連通されているので、複数の溝部５０間で潤滑剤を流通させることができる。そのため、溝部５０全体においてバランスよく潤滑剤を保持し、案内面３２ｂと被案内面２４ｂとの間に対して周方向に関して均一に潤滑剤を供給することができる。
【００５７】
また、上記第１〜第４の実施形態のように案内面３２ｂと供給面３２ｄとにグリースを塗布しておく場合、そのグリースが長時間の使用で少なくなると、浸透部材４０から案内面３２ｂへの潤滑剤の供給が途切れてしまうおそれがあるが、本実施形態では、そのような不都合が生じることなく継続した潤滑剤の供給が可能となる。
なお、本実施形態の外輪間座１２は、単列の転がり軸受１１に対応する１つの貯留室３５を備えたものとなっているが、上述の第１の実施形態のように複列の転がり軸受１１に対応する２つの貯留室３５を備えたものであってもよい。
【００５８】
第２側壁３４に形成された連通孔５５は、図９に示すように、一定の内径で第２側壁３４を軸方向に貫通している。連通孔５５の一端側の開口５５ａは、浸透部材４０が収容されている貯留室３５の径方向内側の領域と、浸透部材４０が収容されていない径方向外側の領域とに跨って形成されている。したがって、開口５５ａの一部は、浸透部材４０に重なるように配置されている。また、連通孔５５は、第２側壁３４に対して周方向に間隔をあけて複数箇所（例えば、２，３箇所）に形成されている。
【００５９】
連通孔５５は、貯留室３５内に含まれる空気を抜くために設けられている。人工衛星等に適用される転がり軸受装置１０においては、打ち上げまでの間に、転がり軸受１１の内部を真空引きして窒素等の気体を充填する操作を行い、部品を評価したりメンテナンスをしたりする場合がある。この場合に、本実施形態のような連通孔５５が設けられていなければ、貯留室３５の内部に含まれる空気は、浸透部材４０を通り抜けて開口部３６から外部へ排出されることになる。このとき、浸透部材４０に浸透している潤滑剤が空気とともに外部へ流出してしまい、貯留室３５内の潤滑剤が減少するおそれがある。
【００６０】
本実施形態では、第２側壁３４に連通孔５５が形成されているので、貯留室３５内の空気は、開口部３６からではなく連通孔５５から外部へ排出される。そのため、浸透部材４０に浸透された潤滑剤が外部へ流出してしまうのを抑制することができる。また、連通孔５５は、開口５５ａの一部が浸透部材４０に重なるように配置されているため、浸透部材４０に含まれる空気をも排出することができる。
【００６１】
［第６の実施形態］
図１０は、第６の実施形態に係る転がり軸受装置の外輪間座を示す斜視図である。
本実施形態では、外輪間座１２の内周壁３２には、第５の実施形態と同様に複数の溝部５０が形成されているが、この溝部５０は、軸方向に対して傾斜しており、螺旋形状に形成されている。複数の溝部５０は互いに平行に並べられている。
【００６２】
本実施形態においても、第５の実施形態と同様に、浸透部材４０に浸透された潤滑剤が溝部５０内に流入し、保持される。そして、溝部５０内の潤滑剤は、案内面３２ｂと被案内面２４ｂとの間に供給される。したがって、第５の実施形態と同様の作用効果を奏する。
また、溝部５０が軸方向に対して傾斜して形成されているので、案内面３２ｂ上を保持器２４の被案内面２４ｂが摺動したときに、当該被案内面２４ｂが溝部５０を垂直に横切らず、斜めに横切ることになる。そのため、溝部５０による抵抗が少なくなり、案内面３２ｂ上で被案内面２４ｂを円滑に摺動させることができる。
【００６３】
また、溝部５０が軸方向に対して傾斜して形成されているので、外輪間座１２の内周壁３２により長い溝部５０を形成することができる。したがって、溝部５０により多くの潤滑剤を保持することができ、案内面３２ｂと被案内面２４ｂとの間に確実に潤滑剤を供給することができる。
【００６４】
［第７の実施形態］
図１１は、第７の実施形態に係る転がり軸受装置の外輪間座を示す斜視図である。
本実施形態では、第６の実施形態と同様に、外輪間座１２の内周壁３２に複数の溝部５０ａ,５０ｂが形成されているが、この溝部５０ａ,５０ｂは、軸方向に対して一方向に傾斜し螺旋形状に形成された複数の第１の溝部５０ａと、軸方向に対して他方向に傾斜し螺旋形状に形成された複数の第２の溝部５０ｂとからなる。複数の第１の溝部５０ａは互いに平行に並べられ、複数の第２の溝部５０ｂは互いに平行に並べられている。第１の溝部５０ａと第２の溝部５０ｂとは互いに交差している。
【００６５】
本実施形態においても、第６の実施形態と同様に、浸透部材４０に浸透された潤滑剤が溝部５０ａ,５０ｂ内に流入し、保持される。そして、溝部５０ａ,５０ｂ内の潤滑剤は、案内面３２ｂと被案内面２４ｂとの間に供給される。したがって、第５及び第６の実施形態と同様の作用効果を奏する。
また、本実施形態では、第１及び第２の溝部５０ａ、５０ｂが軸方向に対して傾斜して形成されているので、案内面３２ｂ上を保持器２４の被案内面２４ｂが摺動したときに、当該被案内面２４ｂが溝部５０を垂直に横切らず、斜めに横切ることになる。そのため、溝部５０による抵抗が少なくなり、案内面３２ｂ上で被案内面２４ｂを円滑に摺動させることができる。
【００６６】
また、本実施形態では、第１及び第２の溝部５０ａ、５０ｂが軸方向に対して傾斜して形成されているので、外輪間座１２の内周壁３２により長い溝部５０ａ、５０ｂを形成することができる。したがって、溝部５０ａ,５０ｂにより多くの潤滑剤を保持することができ、案内面３２ｂと被案内面２４ｂとの間に確実に潤滑剤を供給することができる。
【００６７】
さらに、本実施形態では、案内面３２ｂ上を保持器２４の被案内面２４ｂが周方向一方側に摺動したときは、一方の溝部５０ａ内の潤滑剤が当該溝部５０ａの傾斜によって転がり軸受１１の内部側へ積極的に導かれ、保持器２４の被案内面２４ｂが周方向他方側に摺動したときは、他方の溝部５０ｂ内の潤滑剤が当該溝部５０ｂの傾斜によって転がり軸受１１の内部側へ積極的に導かれる。したがって、転がり軸受１１が正逆いずれの方向に回転したとしても好適に転がり軸受１１に潤滑剤を供給することができる。
【００６８】
上記第５〜第７の実施形態では、溝部５０、５０ａ、５０ｂ内に潤滑剤を保持することができるため、案内面３２ｂ及び供給面３２ｄ、又は内周壁３２の外周面全体に予めグリースを塗布しなくてもよいが、塗布することも可能である。しかし、案内面３２ｂと被案内面２４ｂとの間にグリースが存在すると保持器２４の回転抵抗が増大するため、グリースの塗布を省略することがより好適である。
【００６９】
また、浸透部材４０の内周面にも、軸方向に延びる溝部を形成し、この溝部と、内周壁３２の溝部５０、５０ａ、５０ｂとによって潤滑剤を保持し、保持した潤滑剤を案内面３２ｂと被案内面２４ｂとの間に供給してもよい。
上記第５〜第７の実施形態において、溝部５０、５０ａ、５０ｂは、内周壁３２の外周面の軸方向幅全体に形成されていなくてもよく、浸透部材４０が接触する一部分と案内面３２ｂとにわたる範囲で形成されていればよい。
【００７０】
［第８の実施形態］
図１２は、第８の実施形態に係る転がり軸受装置の外輪間座の一部を拡大して示す断面図である。本実施形態の転がり軸受装置の外輪間座１２は、上記第５の実施形態と同様に、第２側壁３４に連通孔５５が形成されている。本実施形態の連通孔５５は、テーパー状に形成され、一端側（貯留室３５側）の開口５５ａよりも他端側（転がり軸受側）の開口５５ｂが小さく形成されている。また、一端側の開口５５ａは、一部が貯留室３５内の浸透部材４０に重なるように配置されている。
【００７１】
本実施形態においても、第５の実施形態と同様に、転がり軸受装置１０を真空引きした場合に、貯留室３５内の空気を連通孔５５から排出することができ、浸透部材４０に浸透した潤滑剤が外部へ流出してしまうのを抑制することができる。
また、連通孔５５は、転がり軸受１１側の開口５５ｂが貯留室３５側の開口５５ａよりも小さく形成されているので、貯留室３５内の潤滑剤が連通孔５５に入り込んだとしても外部へ排出され難くなっている。
【００７２】
［第９の実施形態］
図１３は、第９の実施形態に係る転がり軸受装置の外輪間座の一部を拡大して示す断面図である。本実施形態の転がり軸受装置は、上記第５の実施形態と同様に、外輪間座１２の第２側壁３４に連通孔５５が形成されている。本実施形態の連通孔５５は、一方の開口５５ａ側にフィルター部材５６が設けられている。このフィルター部材５６は、空気の通過を許容し、潤滑剤の通過を抑制するものである。フィルター部材５６は、例えば網状に形成されたものを使用することができる。フィルター部材５６は、浸透部材４０の連続気孔よりも目の粗いもの（気孔率が大きなもの）が用いられる。
【００７３】
本実施形態では、連通孔５５にフィルター部材５６が設けられているので、貯留室３５内の潤滑剤が連通孔５５から外部へ排出されてしまうのを防止することができる。
なお、フィルター部材５６は、連通孔５５の他方の開口５５ｂ側に設けられていてもよいし、連通孔５５の中間部に設けられていてもよい。
【００７４】
本発明は、上記実施形態に限定されるものではなく、特許請求の範囲に記載された発明の範囲内において種々の変更が可能である。
例えば、貯留室３５を有する外輪間座１２は、外周壁３１、内周壁３２、及び第１側壁３３が一体に形成されていたが、これらの一部又は全てを別体で形成し、適宜、溶接等の結合手段によって一体的に形成してもよい。また、第２側壁３４を外周壁３１と一体的に形成してもよい。ただし、第２側壁３４を外周壁３１と別体とすることによって、貯留室３５内に浸透部材４０を挿入し易くすることができる。また、第２側壁３４は、一体化された外周壁３１、内周壁３２、及び第１側壁３３と比べて構造が簡単であるため、第２側壁３４の軸方向寸法を調整することによって、アンギュラ玉軸受の予圧調整を容易に行うことができる。
【００７５】
浸透部材４０は、潤滑剤を浸透させて微量ずつ排出することができる材質であれば特に限定されない。
上記第１〜第３の実施形態において、潤滑剤貯留部材は、２つの転がり軸受１１に対応して２つの貯留室３５を備えているが、２つの転がり軸受に対応する１つの貯留室３５を備えていてもよい。
【００７６】
上記第５、第８，及び第９の実施形態においては、連通孔５５の開口５５ａが、貯留室３５における浸透部材４０が収容されている領域と収容されていない領域とに跨って形成されていたが、浸透部材４０が収容されている領域のみに対応して開口５５ａが形成されていてもよく、浸透部材４０が収容されていない領域のみに対応して開口５５ａが形成されていてもよい。また、浸透部材４０が収容されている領域と、収容されていない領域とのそれぞれに対応して個別に連通孔５５が形成されていてもよい。
また、連通孔５５は、外輪間座１２の第２側壁３４に形成されていたが、他の部分、例えば第１側壁３３や内周壁３２に形成されていてもよい。
【００７７】
上記実施形態では、外輪２１を固定輪とし、内輪２２を回転輪としていたが、外輪２１を回転輪とし、内輪２２を固定輪としてもよい。この場合、内輪間座１３によって、潤滑剤貯留部材と案内部材とを構成すればよい。この場合の潤滑剤貯留部材は、第１の実施形態における潤滑剤貯留部材（外輪間座）の内径側と外径側とを反転させた形態とすることができ、潤滑剤貯留部材の外周壁を案内部材として外輪２１と内輪２２との間に挿入すればよい。
【００７８】
本発明は、宇宙で使用される機器に用いられる転がり軸受装置に限らず、地球上において使用される機器に用いられる転がり軸受装置にも適用することができる。
また、本発明は、アンギュラ玉軸受以外の転がり軸受１１、例えば、深溝玉軸受、円筒ころ軸受、円すいころ軸受、自動調心軸受等にも適用することができる。
【符号の説明】
【００７９】
１０：転がり軸受装置、１１：転がり軸受、１２：外輪間座、２１：外輪（固定輪）、２２：内輪（回転輪）、２３：転動体、２４：保持器、２４ｂ：被案内面、２４ｃ：被案内面、２４ｄ：傾斜面、２４ｅ：傾斜面、３１：外周壁、３２：内周壁、３２ｂ：案内面、３２ｄ：供給面、３３：第１側壁、３４：第２側壁、３４ｃ：案内面、３４ｄ：供給面、３５：貯留室、３６：開口部、４０：浸透部材、５５：連通孔
【図１】
0006757932.tif 000002
【図２】
0006757932.tif 000003
【図３】
0006757932.tif 000004
【図４】
0006757932.tif 000005
【図５】
0006757932.tif 000006
【図６】
0006757932.tif 000007
【図７】
0006757932.tif 000008
【図８】
0006757932.tif 000009
【図９】
0006757932.tif 000010
【図１０】
0006757932.tif 000011
【図１１】
0006757932.tif 000012
【図１２】
0006757932.tif 000013
【図１３】
0006757932.tif 000014